(57)【特許請求の範囲】
【請求項１】
引抜きダイスの伸線側において、伸線材に張力を付加することによりこの伸線材に伸びを起こさせ、その仕上線径を引抜きダイスの穴径で決まる線径よりも小さく制御することを特徴とする伸線材の線径制御方法。
【請求項２】
主として引抜きダイスと巻取りドラムからなる伸線機を用いて伸線を行う方法において、引抜きダイスと巻取りドラムとの間に、該巻取りドラムの巻き径よりも小径の１個ないし複数の張力制御ロールを設け、このロールを伸線材に押し付けることにより生ずる該線材への張力を変化させてこの伸線材に伸びを起こさせ、仕上げ線径を引抜きダイスの穴径で決まる線径よりも小さく制御することを特徴とする伸線材の線径制御方法。
【請求項３】
請求項１または２に記載の方法において、上記張力制御ロールと巻取りドラムとの間で線径測定を行い、その測定結果に基づき、該ロールの押付量を変更して最適線径もしくは一定の線径に制御することを特徴とする伸線材の線径制御方法。
【発明の詳細な説明】
【０００１】
【発明の属する技術分野】
本発明は、伸線機により長尺の鋼線等を製造する際の、伸線材の線径制御方法に関する提案である。特に本発明は、ダイス穴径以外の方法による線径制御の方法を提案することの他、最終線径を精密に制御したときにも有効に用いられる線径制御手段を提案する。
【０００２】
【従来の技術】
一般に、鋼線等の引抜き加工を行うための伸線機は、図１に示すように、主として引抜きダイス１と巻取りドラム２とで構成されており、伸線材３の線径ｄは、基本的に図２に示すように、引抜きダイス１の穴径, 形状によって決定される。
【０００３】
また、図３は、引抜きダイス１と巻取りドラム２との間に一対の固定曲げロール５, ６を設けたタイプの伸線機である。この伸線機において前記固定曲げロール５, ６は、伸線材３を巻取りドラム２に巻き付ける前にその伸線材３をあらかじめ予備曲げを行うこと、即ち、曲げ癖をつけることで、巻取りを円滑に行うと同時に、巻取りドラム２の径, 即ち輪径Ｄに応じた予備曲げを行うものであって、所謂前記巻取りドラム２の直前位置に固定して設置されたものである。ただし、その設置の位置は移動させることができない。
【０００４】
上記各従来技術において、伸線材３の仕上線径ｄの制御は、いずれの場合も供給線径ｄ′とダイス穴径ｄ″とによってのみ決まり、引き抜かれた伸線材３を巻取りドラム２に至る経路で変えるようなことはできない。
従って、これらの従来技術の場合、摩耗によって変わり易い、特に固い素材鋼の引き抜きを行う場合に顕著に現れる、ダイス穴径ｄ″の変化を修正することができないという問題があった。即ち、伸線材３の仕上線径ｄが摩耗によって次第に大きくなることから、上記引抜きダイス１の補修や取り替えを頻繁に行わねばならないという問題があった。
【０００５】
【発明が解決しようとする課題】
上述したように、引抜きダイス１の穴径のみにより伸線材３の仕上線径ｄを制御する従来方法では、引抜きダイス１の摩耗による仕上線径ｄの変化や、供給線材自身の機械的性質に起因する線径変化などにより、仕上線径を常に一定に保つことが困難であった。
そこで、本発明の主たる目的は、仕上線径を常に一定に制御する簡便な方法を提案することにある。
本発明の他の目的は、引抜きダイス以外に仕上線径を可変制御する方法を提案することにある。
本発明のさらに他の目的は、引抜きダイスの補修、取替えの回数を減らして製品のコスト低減を図るのに有効な方法を提案することにある。
本発明のさらに他の目的は、仕上線径精度の高い高品質の線材を安定して製造するための線径制御方法を提案することにある。
【０００６】
【課題を解決するための手段】
本発明は、従来技術が抱えている上述した問題点を解決するべく開発されたものであって、その要旨とするところは、引抜きダイスの伸線側において、伸線材に張力を付加することによりこの伸線材に伸びを起こさせ、その仕上線径を引抜きダイスの穴径で決まる線径よりも小さく制御することを特徴とする伸線材の線径制御方法である。
【０００７】
また、本発明は、主として引抜きダイスと巻取りドラムからなる伸線機を用いて伸線を行う方法において、引抜きダイスと巻取りドラムとの間に、該巻取りドラムの巻き径よりも小径の１個ないし複数の張力制御ロールを設け、このロールを伸線材に押し付けることにより生ずる該線材への張力を変化させてこの伸線材に伸びを起こさせ、仕上げ線径を引抜きダイスの穴径で決まる線径よりも小さく制御することを特徴とする伸線材の線径制御方法である。
【０００８】
なお、本発明において、上記張力制御ロールと巻取りドラムとの間で線径測定を行い、その測定結果に基づき、該ロールの押付量を変更して最適線径もしくは一定の線径に制御することが好ましい。
【０００９】
【発明の実施の形態】
本発明は、引抜きダイス１から引き抜かれた伸線材に対し、図４に示すような張力制御ロール６にて所定の張力を付与すると、該伸線材３は伸びを起こして小径化することに着目して、その張力を可変制御すれば、ダイス穴径ｄ″によって決まる仕上線径ｄをさらに変化させることができるという知見に基づいて開発した技術である。つまり、引抜きダイス１の穴径ｄ″にて、製品の仕上線径ｄを決定した後であっても、さらに前記張力制御ロール６で巻取りの前に伸線材３に張力を与えれば、伸線材３の仕上線径ｄを、引抜きダイス１のダイス穴径ｄ″で決まる線径ｄよりもかなり小さくできるようになり、仕上線径ｄのオンライン制御ができるようになる。
【００１０】
さらに、張力制御ロール６の出側で巻取りロール２の前に線径測定センサー４を配設し、このセンサー４により仕上線径ｄの自動測定を行うことで、目標線径になるように該張力可変ロールシリンダー７を介して、前記張力制御ロール６の押付量Ｔを変化させる。このような制御を行うことにより、引抜きダイス１の摩耗劣化、伸線材３の硬さによるばらつきが発生したとしても、伸線材３の製品仕上線径ｄを常に一定に保つことができるようになる。
すなわち、目標線径ｄ0 ，線径測定センサー４による測定線径ｄとし、ｄ0 ＜ｄの場合、押付け量Ｔを増加させる方向にシリンダー７を制御すればよい。
なお、張力制御ロール６の押付け量Ｔは、大きすぎると線径ｄに長径と短径の偏径差を生じるため、その押付量Ｔは( 2000／ｄ0)mm以下で実施することが好ましい。
【００１１】
【実施例】
図５は、本発明の作用効果を説明するための図であり、張力制御ロール６の押付け量Ｔと製品仕上線径ｄとの関係を示している。この図に明らかなように、前記押付け量Ｔが大きいほど、即ち伸線材に大きな張力を付加する程、製品の仕上線径ｄは顕著に小さくなり、特に押付け量Ｔが６０mmを超えると、効果的な線径制御ができることがわかる。
【００１２】
また、図６は、張力制御ロール６の押付け量Ｔと仕上線径ｄの長径から短径を減じた偏径差を示す図である。この図に示すように、張力制御ロール６を使って押し付けを行うと、該伸線材３は偏径差を生じる。即ち、この偏径差は押付け量Ｔに影響を受けることになる。しかし、一般に伸線材３に求められる要求精度というのは、±0.05mm程度とされている。この点、図５によれば、この精度 (±0.05mm) は押付け量Ｔ＝60mmの張力を付加したときに達成できる値である。そして、この時の偏径差は図６に示すように、0.002 mmであり、要求偏径差0.05mmに比べて十分に小さいので、張力付加に伴う偏径差の増大はほとんど問題とならないことがわかる。
【００１３】
このように、張力制御ロール６の押付け量Ｔを変化させると仕上線径ｄの方も変化するので、該張力制御ロール６の押付け量Ｔを図示の如きシリンダー７により調節することで、引抜きダイス１の穴径だけによることなく、仕上線径ｄの精密な制御ができる。
【００１４】
図４は、本発明方法を実施するための設備構成の図であり、図示の１は引抜きダイスであり、２は巻取りドラムである。その引抜きダイス１の出側伸線側には伸線材３の偏摩耗を防止するために線材の引き抜き方向を誘導するための矯正ロール５を設けると共に、この矯正ロール５と巻取りドラム２との間には該伸線材３に張力を付加して線径を制御するための張力制御ロール６が配設される。その張力制御ロール６と前記巻取りドラム２との間には、線径測定センサー４が配設されている。そして、前記張力制御ロール６には押付け用シリンダー７が取付けてあり、このシリンダー７の作用によりロール６を該伸線材３に押付けて張力を付加するようになっている。
【００１５】
図７は、伸線処理量を増加させたときの、従来方法による伸線材の線径変化と本発明方法による伸線材の線径変化の関係を示す。この結果からも明らかなように、引抜きダイスの穴の摩耗により線径４は従来方法のように、本来なら太っていくが、張力付加ロール６の効果により処理量が増加しても仕上線径ｄを一定のままに制御できることがわかる。
なお、上述した実施例は、目標線径ｄ0 ＝13.70 mmの場合について説明したが、本発明はこれに限るものではなく、目標線径に応じた押付け量Ｔを与えることにより、他の線径についても適用できる。
【００１６】
【発明の効果】
以上説明したように本発明方法によれば、ダイスから出た伸線部の線材を対象として線径制御ができるため、高精度でばらつきの少ない高品質の伸線材を得ることができる。
また、従来は、ダイスが磨耗したときダイス交換が必要であったが、伸線部において線径制御ができるようになったことから、偏径差が生じない範囲ではダイス交換が不要となり、ダイスコストの削減効果がある。さらに、ダイス交換回数を減少できることから、素材を溶接して伸線すれば、素材 (供給線材) の線先 (端) 通しの回数が減少し、作業負荷の軽減、伸線稼動率の向上も期待できる。
【図面の簡単な説明】
【図１】従来伸線方法の説明図である。
【図２】引抜きダイス部の拡大図である。
【図３】従来伸線輪径制御方法の説明図である。
【図４】本発明にかかる線径制御方法の説明図である。
【図５】ロール押下げ量と線径の関係を示す図である。
【図６】ロール押下げ量と偏径差の関係を示す図である。
【図７】本発明と従来方法による処理量と径変化の関係を示す図である。
【符号の説明】
１  引抜きダイス
２  巻取りドラム
３  伸線材
４  線径測定センサー
５  誘導ロール
６  張力制御ロール
７  シリンダー
【図１】
0003812167.tif 000002
【図２】
0003812167.tif 000003
【図３】
0003812167.tif 000004
【図４】
0003812167.tif 000005
【図５】
0003812167.tif 000006
【図６】
0003812167.tif 000007
【図７】
0003812167.tif 000008